(57)【要約】【課題】映像出力装置の利用者にとって利便性且つ操作性よく、複数の番組の映像を出力すること。【解決手段】マルチ画面の表示が初めて実行されたか否かや、前回のマルチ画面の表示における映像提示領域の数に応じて、所定数の映像提示領域のマルチ画面が表示されるマルチ画面を表示する処理が実行される。また、所定数の映像提示領域のマルチ画面が表示されている状態では、マルチ画面の映像提示領域の数に対応付けられた特定のキーが押下されることで、マルチ画面の映像提示領域の数を直接的に変更することが可能となる。【選択図】  図３
2011061280.tif 000002
【特許請求の範囲】
【請求項１】
異なる複数の映像の信号を取得する取得手段と、
前記取得手段が取得した前記複数の映像を、所定数で表示画面を分割してできた複数の映像提示領域にレイアウトして同一画面に提示した複数映像提示画面を出力する映像出力手段と、
前記映像出力手段が前記複数映像提示画面を出力している状態で、前記映像提示領域の数に対応付けられた特定の操作入力に応じて、前記操作入力に対応付けられた前記映像提示領域の数で前記表示画面を分割してできた新たな複数映像提示画面を、前記映像出力手段が出力するように制御する制御手段と、
を具備することを特徴とする映像出力装置。
【請求項２】
前記複数映像提示画面の前記レイアウトに係る前記映像提示領域の数は２乃至８であることを特徴とする請求項１記載の映像出力装置。
【請求項３】
前記複数映像提示画面が出力される前に出力されていた特定のチャンネルの番組の映像であるメイン映像と、前記メイン映像に係るチャンネルを除いた他のチャンネルの番組の映像であるサブ映像とが、所定の条件に基づいて前記複数映像提示画面の特定の前記映像提示領域にレイアウトされることを特徴とする請求項２記載の映像出力装置。
【請求項４】
前記所定の条件は、前記サブ映像に係るチャンネルに対する、利用者により任意に設定された順位、現在よりも所定期間以前の前記チャンネルごとの累計視聴時間に基づいて設定された順位、または、現在から遡って出力した映像に係る前記チャンネルの履歴に基づいて設定された順位であることを特徴とする請求項３記載の映像出力装置。
【請求項５】
前記サブ映像は、少なくとも前記メイン映像と同一の放送波の前記チャンネルの番組の映像であることを特徴とする請求項３記載の映像出力装置。
【請求項６】
前記映像出力手段は、前記メイン映像および前記サブ映像の中から特定の前記映像を選択することを利用者に許可し、特定の前記サブ映像が選択された場合、前記サブ映像は、前記メイン映像と入れ替えられてレイアウトされることを特徴とする請求項３記載の映像出力装置。
【請求項７】
前記映像出力手段は、前記メイン映像および前記サブ映像の中から特定の前記映像を選択することを利用者に許可し、特定の前記サブ映像が選択された場合、前記メイン映像および／または前記サブ映像に関する音声が出力されることを特徴とする請求項３記載の映像出力装置。
【請求項８】
前記映像出力手段は、前記メイン映像および前記サブ映像の中から特定の前記映像を選択することを利用者に許可し、特定の操作入力に応じて、選択された映像および／または出力されている映像に係る番組に関する番組関連情報を出力することを特徴とする請求項３記載の映像出力装置。
【請求項９】
異なる複数の映像の信号を取得する取得手段と、
前記取得手段が取得した前記複数の映像を、所定数で表示画面を分割してできた複数の映像提示領域にレイアウトして同一画面に提示した複数映像提示画面を出力する映像出力手段と、
を具備し、
前記複数映像提示画面は、前記複数映像提示画面が出力される前に出力されていた特定のチャンネルの番組の映像であるメイン映像が提示されるメイン映像提示領域と、前記メイン映像に係るチャンネルを除いた他のチャンネルの番組のサブ映像が提示される複数のサブ映像提示領域とを有し、前記サブ映像提示領域は、前記メイン映像提示領域の輪郭の縦方向および横方向それぞれに同一数の複数ずつ、隣接して配置され、前記メイン映像提示領域とサブ映像提示領域とは、縦横のアスペクト比が略同一で、前記メイン映像提示領域は、前記サブ映像提示領域よりも大きいことを特徴とする映像出力装置。
【請求項１０】
前記映像出力手段は、前記メイン映像および前記サブ映像の中から特定の前記映像を選択することを利用者に許可し、特定の操作入力に応じて、選択された映像および／または出力されている映像に係る番組に関する番組関連情報を出力することを特徴とする請求項９記載の映像出力装置。
【請求項１１】
異なる複数の映像の信号を取得し、
取得した前記複数の映像を、所定数で表示画面を分割してできた複数の映像提示領域にレイアウトして同一画面に提示した複数映像提示画面を出力し、
前記複数映像提示画面を出力している状態で、前記映像提示領域の数に対応付けられた特定の操作入力に応じて、前記操作入力に対応付けられた前記映像提示領域の数で前記表示画面を分割してできた新たな複数映像提示画面を出力するように制御する、
ことを特徴とする映像出力方法。
【発明の詳細な説明】
【技術分野】
【０００１】
本発明は、複数の番組の映像を一括して出力する映像出力装置および映像出力方法に関する。
【背景技術】
【０００２】
近年、地上デジタル放送や衛星デジタル放送や、インターネットやＣＡＴＶ（Community  Antenna  TeleVision；ケーブルテレビ；以下ＣＡＴＶと称する）といったネットワークなどの様々な放送網を利用して多くの放送番組が提供されている。また、これら多くの放送番組は、それぞれの放送波ごとに定義されたチャンネルによって同一時刻において個別に提供されている。そして、これらの番組を取得する装置の利用者は、同一時刻において提供される多くの放送番組の中から特定のチャンネルで提供される番組を選択して、番組を取得する装置による視聴や録画に供することができる。
【０００３】
このように多くの放送番組の中から利用者が番組を選択する際に、現在放送中の複数のチャンネルで提供される複数の放送番組の映像を同時に見ながら番組を選択するという利用者のニーズがある。そこで、従来、このニーズに対応する様々な手法が開示されている。
【０００４】
例えば、特許文献１では、地上波デジタル放送におけるワンセグ（登録商標）用のチューナで受信した複数の番組映像を１つの画面内に同時に表示し、表示された複数の番組映像から選択された番組をデジタルチューナで受信したハイビジョン用の映像に切替えて１つの番組の映像を画面に表示する手法が開示されている。
【０００５】
また、特許文献２では、受信可能チャンネルの数もしくは予め任意に選択されたチャンネルの数に応じて表示分割画面数を決定したマルチ画面を提示する手法が開示されている。
【先行技術文献】
【特許文献】
【０００６】
【特許文献１】特開２００８−２９４９１２号公報  （図１  段落００３７）
【特許文献２】特開平１１−０５５５９２号公報  （図３  段落００３０）
【発明の概要】
【発明が解決しようとする課題】
【０００７】
しかし、特許文献１による手法は、ワンセグチューナの数に応じた複数の番組映像を表示し、この表示された複数の番組映像から特定の番組を選択する手法であったが、表示される複数の番組画像の数やレイアウトに関しては、特別な配慮がなされていなかった。
【０００８】
また、特許文献２による手法は、受信可能チャンネルの数もしくは予め任意に選択されたチャンネルの数に応じて表示分割画面数が決定される手法であったので、決定された表示分割画面数によるマルチ画面に対する表示分割画面数やチャンネルの変更などといった、マルチ画面における画面数やチャンネルの決定に関する利用者の自由度が限定的であった。
【０００９】
そこで、本発明は上述した課題を解決するために、利用者にとって利便性且つ操作性よく、複数の番組の映像を一画面に一括して出力することができる映像出力装置および映像出力方法を提供することを目的とする。
【課題を解決するための手段】
【００１０】
本発明は上述した課題を解決するため、異なる複数の映像の信号を取得する取得手段と、前記取得手段が取得した前記複数の映像を、所定数で表示画面を分割してできた複数の映像提示領域にレイアウトして同一画面に提示した複数映像提示画面を出力する映像出力手段と、前記映像出力手段が前記複数映像提示画面を出力している状態で、前記映像提示領域の数に対応付けられた特定の操作入力に応じて、前記操作入力に対応付けられた前記映像提示領域の数で前記表示画面を分割してできた新たな複数映像提示画面を、前記映像出力手段が出力するように制御する制御手段とを具備することを特徴とするものである。
【００１１】
また、本発明は上述した課題を解決するため、異なる複数の映像の信号を取得する取得手段と、前記取得手段が取得した前記複数の映像を、所定数で表示画面を分割してできた複数の映像提示領域にレイアウトして同一画面に提示した複数映像提示画面を出力する映像出力手段とを具備し、前記複数映像提示画面は、前記複数映像提示画面が出力される前に出力されていた特定のチャンネルの番組の映像であるメイン映像が提示されるメイン映像提示領域と、前記メイン映像に係るチャンネルを除いた他のチャンネルの番組のサブ映像が提示される複数のサブ映像提示領域とを有し、前記サブ映像提示領域は、前記メイン映像提示領域の輪郭の縦方向および横方向それぞれに同一数の複数ずつ、隣接して配置され、前記メイン映像提示領域とサブ映像提示領域とは、縦横のアスペクト比が略同一で、前記メイン映像提示領域は、前記サブ映像提示領域よりも大きいことを特徴とするものである。
【００１２】
また、本発明は上述した課題を解決するため、異なる複数の映像の信号を取得し、取得した前記複数の映像を、所定数で表示画面を分割してできた複数の映像提示領域にレイアウトして同一画面に提示した複数映像提示画面を出力し、前記複数映像提示画面を出力している状態で、前記映像提示領域の数に対応付けられた特定の操作入力に応じて、前記操作入力に対応付けられた前記映像提示領域の数で前記表示画面を分割してできた新たな複数映像提示画面を出力するように制御することを特徴とするものである。
【発明の効果】
【００１３】
本発明によれば、映像出力装置の利用者にとって利便性且つ操作性よく、複数の番組の映像を出力することができる。
【図面の簡単な説明】
【００１４】
【図１】本発明の実施形態に係る映像出力装置であるテレビジョン受像機の構成を示すブロック図。
【図２】複数の操作入力の情報それぞれに対応付けられた複数のキーが設けられたリモコンを示す図。
【図３】マルチ画面を表示する処理、および、マルチ画面の映像提示領域の数を変更する処理を説明するためのフローチャート。
【図４】マルチ画面の具体例を示す図。
【図５】図４に示したそれぞれのマルチ画面におけるメイン映像およびサブ映像のレイアウトの具体例を説明するための概念図。
【図６】マルチ画面を操作する複数の処理を説明するためのフローチャート。
【図７】図４に示したそれぞれのマルチ画面におけるフォーカス移動の具体例を説明するための図。
【図８】図４に示したそれぞれのマルチ画面において、番組関連情報が出力された場合の具体例を説明するための図。
【図９】図４に示したそれぞれのマルチ画面において、番組説明情報が出力された場合の具体例を説明するための図。
【発明を実施するための形態】
【００１５】
以下、本発明における実施形態について図面を用いて説明する。
図１は、本発明の実施形態に係る映像出力装置であるテレビジョン受像機１０の構成を示すブロック図である。なお、本実施形態は、本発明に係る構成を適用した映像出力装置として、テレビジョン受像機を例とした形態であるが、本実施形態と同様の構造の、ＨＤＤレコーダ、ＤＶＤレコーダ、パーソナルコンピュータ、携帯移動端末などを例とした形態であっても構わない。またさらには、テレビ放送や衛星放送だけでなく、ラジオ放送やインターネット等を用いた有線放送などを受信する映像出力装置である、例えばセットトップボックスなどを例にした実施形態であってもよい。
【００１６】
本実施形態に係るテレビジョン受像機１０は、複数の放送波処理部２０−１〜２０−ｎ、外部機器ＩＦ部３１、ネットワークＩＦ部３２、信号処理制御部４０、操作部５１、受光部５２、表示器６１、スピーカ６２などで構成されている。
【００１７】
テレビジョン受像機１０は、複数の放送波処理部２０−１〜２０−ｎ、外部機器ＩＦ部３１、ネットワークＩＦ部３２などから複数のチャンネルによって提供される複数の番組のデータを取得する。さらに、テレビジョン受像機１０は、取得した複数の番組のデータに基づいた映像を、表示画面を分割してできた複数の映像提示領域にレイアウトして同一画面に提示する複数映像提示画面を表示器６１に表示する。なお、複数映像提示画面で表示する映像提示領域の数は、ユーザの指示によって変更することができる。そして、この複数映像提示画面は、マルチ画面とも呼ばれている。
【００１８】
放送波処理部２０−１〜２０−ｎは、アンテナＡＴによって受信されたデジタル放送波やアナログ放送波の信号を取得するチューナとデコーダを有する。そして、放送波処理部２０−１〜２０−ｎは、取得した信号に対して特定チャンネルの選局処理および復調復号処理を施し、番組の映像音声データや電子番組表（以下、ＥＰＧとも称する）を生成するためのデータなどを信号処理制御部４０に出力する。
【００１９】
本実施形態のテレビジョン受像機１０では、地上デジタル放送波に対して処理を施す地上デジタル放送波用チューナが８個備えられている。なお、放送波処理部２０−１〜２０−ｎは、地上デジタル放送波用チューナでなく、地上アナログ放送波に対して処理を施す地上アナログ放送波用チューナや、衛星デジタル放送波または衛星アナログ放送波に対して処理を施す衛星デジタル放送波用チューナまたは衛星アナログ放送波用チューナなどであってもよく、また数量も８個に限定されるものではない。例えば、放送波処理部２０−１〜２０−ｎとして、地上デジタル放送波用チューナが８個、衛星デジタル放送波用チューナが２個、地上アナログ放送波用チューナと衛星アナログ放送波用チューナがそれぞれ１個ずつ備えられた形態が可能である。
【００２０】
外部機器ＩＦ部３１は、ＵＳＢ規格やＩＥＥＥ１３９４規格などの規格に準じた接続部によりテレビジョン受像機１０の外部機器に接続する。そして、外部機器ＩＦ部３１は、接続されたテレビ放送波受信機器などの外部機器から提供される番組の映像音声データやＥＰＧを作成するためのデータなどを取得して信号処理制御部４０へ出力する。また、外部機器ＩＦ部３１は、ＵＳＢ規格やＩＥＥＥ１３９４規格などに準じた接続部によりテレビジョン受像機１０の外部ＨＤＤやメモリーカードなどの記録媒体に接続して、この接続した記録媒体との間で番組の映像音声データなどを出力または入力する。
【００２１】
ネットワークＩＦ部３２は、インターネットや、ＬＡＮ、ＷＡＮなどのネットワークに接続し、この接続したネットワークを介して提供される番組の映像音声データやＥＰＧを生成するためのデータなどを取得して信号処理制御部４０へ出力する。また、ネットワークＩＦ部３２は、ネットワークを介してテレビジョン受像機１０の外部ＨＤＤやメモリーカードなどの記録媒体に接続して、この接続した記録媒体との間で番組の映像音声データなどを出力または入力する。
【００２２】
操作部５１は、テレビジョン受像機１０を操作する操作入力の情報を受信して信号処理制御部４０へ出力する。同様に受光部５２は、リモコンＲＣからの操作入力の情報を受光（受信）して信号処理制御部４０へ出力する。なお、この操作部５１またはリモコンＲＣは、マルチ画面の映像提示領域の数を直接的に変更するカラーキーや、マルチ画面に提示されている複数の映像の中から特定の映像を選択する方向キー２１３などを備えている。
【００２３】
信号処理制御部４０は、操作部５１や受光部５２からの操作入力の情報に基づいて、放送波処理部２０−１〜２０−ｎや外部機器ＩＦ部３１、ネットワークＩＦ部３２などから入力された信号（データ）に対して、圧縮されたデータの伸張処理などの様々な処理や、ＥＰＧを作成するためのデータ抽出処理を施す。またさらに、信号処理制御部４０は、入力された信号（データ）に対して、ＭＰＥＧ符号化／復号化演算処理や、映像信号と音声信号の分離処理などの様々な処理を施して表示器６１へ映像信号を出力し、スピーカ６２へ音声信号を出力する。なお、信号処理制御部４０はＣＰＵを備えていて、信号処理制御部４０自身に備えられた各モジュールや信号処理制御部４０自身に接続された各モジュールを利用して複数の処理の実行を制御する。
【００２４】
本実施形態では、信号処理制御部４０は、放送波処理部２０−１〜２０−ｎや、外部機器ＩＦ部３１、ネットワークＩＦ部３２などから取得された複数のチャンネルによる複数の番組のデータそれぞれに所定の処理を施し、複数の番組の映像それぞれが同一画面に提示されるマルチ画面を生成して表示器６１へ出力する。また、信号処理制御部４０は、マルチ画面に提示された映像に係る番組に関する番組関連情報をそれぞれの番組の映像と関連付けて提示するＯＳＤ画面を生成して表示器６１へ出力する。なお、番組関連情報は、番組に関するチャンネル番号や、放送波、放送局名、番組名などの情報である。
【００２５】
表示器６１は、信号処理制御部４０から入力された映像信号を表示する表示モジュールであって、例えばＬＣＤ（Liquid  Crystal  Display）などの薄型表示パネルである。この表示器６１は、放送波処理部２０−１〜２０−ｎや外部機器ＩＦ部３１、ネットワークＩＦ部３２などから取得された複数の番組の映像それぞれが同一画面に提示されるマルチ画面や、このマルチ画面に提示された番組に関する番組関連情報を表示する。
【００２６】
スピーカ６２は、信号処理制御部４０から入力された音声信号を出力する。
このような構成により、本発明の実施形態に係るテレビジョン受像機１０は、複数のチャンネルによる複数の番組のデータを取得し、この取得した複数の番組のデータに基づいた映像それぞれが、変更可能な所定数で表示画面を分割してできた複数の映像提示領域それぞれにレイアウトされて同一画面に提示されるマルチ画面を表示器６１に表示する。なお、これらの処理は、操作部５１や受光部５２からの操作入力の情報に基づいて、主に信号処理制御部４０が実行するものである。
【００２７】
次に、図２を用いて、図１で説明した受光部５２が受光する操作入力の情報を出力するリモコンＲＣに設けられた複数のキーを説明する。
図２は、複数の操作入力の情報それぞれに対応付けられた複数のキーが設けられたリモコンＲＣを示す図である。
テレビジョン受像機１０の利用者は、リモコンＲＣに設けられた複数のキーのうちの特定のキーを押下して、この押下されたキーに対応付けられた操作入力の情報をリモコンＲＣから出力させて、テレビジョン受像機１０を操作する。リモコンＲＣは、操作入力の情報を、赤外線などを利用してテレビジョン受像機１０へ出力する。
【００２８】
メニューキー２０１は、様々なメニュー画面を表示器６１で表示／消去させるキーである。
マルチキー２０２は、マルチ画面を表示器６１で表示／消去させるキーである。
情報キー２０３は、マルチ画面に提示されている映像に係る番組の番組関連情報を表示／消去させるキーである。
説明キー２０４は、マルチ画面に提示されている複数の映像の中で選択されている特定の映像に係る番組の内容を説明する情報である番組説明情報を表示／消去させるキーである。
【００２９】
選局キー２０５の「１」から「１２」までのそれぞれの数字キーは、特定のチャンネルを受信するためのキーである。選局キー２０５の特定の数字キーは、マルチ画面が表示されている状態では、マルチ画面の映像提示領域の数を直接的に変更するためのキーとなる。また、それぞれの数字キーに対して、特定のチャンネルの受信を対応付けることや、マルチ画面の映像提示領域の数を対応付けることが可能である。
【００３０】
カラーキーである青キー２０６および赤キー２０７，緑キー２０８，黄キー２０９は、マルチ画面表示をしてている時、マルチ画面の映像提示領域の数を直接的に変更するキーとして割り当てられている。
【００３１】
地上波キー２１０は、地上デジタル放送の受信を選択するための放送波選択キーであり、ＢＳキー２１１、ＢＳ放送の受信を選択するための放送波選択キーであり、さらに、ＣＳキー２１２は、ＣＳ放送の受信を選択するための放送波選択キーである。これらのキーの押下により、テレビジョン受像機１０は、対応するチューナおよび処理ブロックを利用して、押下された放送波の番組のデータを受信する。
【００３２】
方向キー２１３は、マルチ画面に提示されている複数の映像提示領域の中の特定の映像提示領域が選択されていることを示すフォーカスを移動するキーである。
決定キー２１４は、マルチ画面に提示されている複数の映像の中で選択されている特定の映像を、マルチ画面の所定の領域の映像と入れ替えるキーである。
戻るキー２１５および終了キー２１６は、マルチ画面を表示器６１から消去させるキーである。
チャンネルアップダウンキー２１７は、チャンネルアップするチャンネルアップキー、および、チャンネルダウンするチャンネルダウンキーを備える。チャンネルアップおよびチャンネルダウンは、受信可能なチャンネルまたは選局するように設定されたチャンネルの中からチャンネル番号順で行なわれる。
【００３３】
また、リモコンＲＣには他にも多数のキーが備えられていても構わない。また、リモコンＲＣに設けられたキーと同等のキーが、操作部５１に設けられていても構わない。
【００３４】
すなわち、テレビジョン受像機１０の利用者は、リモコンＲＣなどに設けられた特定のキーを押下して、特定のチャンネルの番組の受信や、マルチ画面の表示／消去、マルチ画面の映像提示領域の数の変更、マルチ画面中の特定の映像の選択、マルチ画面中の特定の映像と所定の領域の映像との入れ替えなどの複数の動作を行うように、テレビジョン受像機１０を操作することが可能である。
【００３５】
次に、図３を用いて、マルチ画面を表示する処理、および、マルチ画面の映像提示領域の数を変更する処理を説明する。
図３は、マルチ画面を表示する処理、および、マルチ画面の映像提示領域の数を変更する処理を説明するためのフローチャートである。
マルチ画面を表示する処理は、テレビジョン受像機１０の利用者が、特定の番組を視聴している状態で、リモコンＲＣに設けられたマルチキー２０２などを押下することで開始する。マルチ画面を表示する処理は、リモコンＲＣに設けられたメニューキー２０１などが押下されて画面に出力されるメニュー画面中の、マルチ画面を表示する項目である「マルチ画面出力」（不図示）が選択されることで開始することもできる。
【００３６】
また、マルチ画面の映像提示領域の数を変更する処理は、テレビジョン受像機１０の利用者が、マルチ画面が表示されている状態で、リモコンＲＣなどに設けられたカラーキーや選局キー２０５の特定の数字キーなどを押下することで実行される。
【００３７】
まず、リモコンＲＣなどに設けられたマルチキー２０２などが押下されると、マルチ画面を表示する処理が初めて実行されたかが判断される（Ｓ３０１）。そして、マルチ画面を表示する処理が初めて実行された、と判断された場合（Ｓ３０１のＹｅｓ）は、８つの映像提示領域のマルチ画面が表示される（Ｓ３０３）。
【００３８】
一方、マルチ画面を表示する処理の実行が初めてではない、と判断された場合（Ｓ３０１のＮｏ）は、前回のマルチ画面を表示する処理がいくつの映像表示領域を表示した状態で終了したか、が判断される（Ｓ３０２）。そして、前回のマルチ画面を表示する処理が、８つの映像表示領域のマルチ画面を表示した状態で終了した場合（Ｓ３０２の８）は、８つの映像提示領域のマルチ画面が表示される（Ｓ３０３）。また、６つの映像提示領域のマルチ画面を表示した状態で終了した場合（Ｓ３０２の６）は、６つの映像提示領域のマルチ画面が表示される（Ｓ３０４）。
【００３９】
同様に、前回のマルチ画面を表示する処理が４つの映像提示領域のマルチ画面を表示した状態で終了した場合（Ｓ３０２の４）は、４つの映像提示領域のマルチ画面が表示され（Ｓ３０５）、２つの映像提示領域のマルチ画面を表示した状態で終了した場合（Ｓ３０２の２）は、２つの映像提示領域のマルチ画面が表示される（Ｓ３０６）。
【００４０】
すなわち、マルチ画面を表示する処理では、マルチ画面の表示が初めて実行されたか否かや、前回のマルチ画面の表示における映像提示領域の数に応じて、所定数の映像提示領域のマルチ画面が表示される。
【００４１】
さらに、上述した所定数の映像提示領域のマルチ画面が表示されている状態では、リモコンＲＣなどに設けられた何れかの操作キーが押下されたか、が判断される（Ｓ３１１）。そして、押下された操作キーが黄キー２０９であった場合（Ｓ３１１のＹｅｓ（黄キー））は、８つの映像提示領域のマルチ画面が表示され（Ｓ３１２）、押下された操作キーが緑キー２０８であった場合（Ｓ３１１のＹｅｓ（緑キー））は、６つの映像提示領域のマルチ画面が表示される（Ｓ３１３）。
【００４２】
そして同様に、押下された操作キーが赤キー２０７であった場合（Ｓ３１１のＹｅｓ（赤キー））は、４つの映像提示領域のマルチ画面が表示され（Ｓ３１４）、押下された操作キーが青キー２０６であった場合（Ｓ３１１のＹｅｓ（青キー））は、２つの映像提示領域のマルチ画面が表示される（Ｓ３１５）。なお、何れの操作キーも押下されない、と判断された場合（Ｓ３１１のＮｏ）は、新たなマルチ画面は表示されない。
【００４３】
そして、上述した所定数の映像提示領域のマルチ画面が表示されている状態で、リモコンＲＣなどに設けられたマルチキー２０２、戻るキー２１５、または、終了キー２１６などが押下されると、マルチ画面を表示する処理が終了し、マルチ画面が表示器６１から消去される。
【００４４】
すなわち、マルチ画面の映像提示領域の数を変更する処理では、リモコンＲＣなどに設けられ、マルチ画面の映像提示領域の数に対応付けられた特定のキーが押下されることで、マルチ画面の映像提示領域の数を直接的に変更することが可能となる。
【００４５】
次に、図４を用いて、マルチ画面の具体例を説明する。図４は、マルチ画面の具体例を示す図である。
図４（ａ）に示す図は２つの映像提示領域のマルチ画面の具体例、図４（ｂ）に示す図は４つの映像提示領域のマルチ画面の具体例、図４（ｃ）に示す概念図は６つの映像提示領域のマルチ画面の具体例、図４（ｄ）に示す図は８つの映像提示領域のマルチ画面の具体例をそれぞれ示している。
【００４６】
なお、図４（ｄ）に示した８つの映像提示領域のマルチ画面で提示された８つの映像のうちの所定の映像提示領域の６つの映像が、図４（ｃ）に示した６つの映像提示領域のマルチ画面で提示される。また同様に、図４（ｃ）に示した６つの映像提示領域のマルチ画面で提示された６つの映像のうちの所定の映像提示領域の４つの映像が、図４（ｂ）に示した４つの映像提示領域のマルチ画面で提示される。さらに、図４（ｂ）に示した４つの映像提示領域のマルチ画面で提示された４つの映像のうちの所定の映像提示領域の２つの映像が、図４（ａ）に示した２つの映像提示領域のマルチ画面で提示される。
【００４７】
また、図４（ａ）〜（ｄ）で示すマルチ画面には、リモコンＲＣなどに設けられた複数のキーによるマルチ画面の操作のガイドとなる操作ガイド情報を示す操作ガイド表示領域がそれぞれの画面の下に設けられている。この操作ガイド情報は、例えば、青キー２０６の押下による２つの映像提示領域のマルチ画面の提示，赤キー２０７の押下による４つの映像提示領域のマルチ画面の提示，緑キー２０８の押下による６つの映像提示領域のマルチ画面の提示，黄キー２０９の押下による８つの映像提示領域のマルチ画面の提示、といった特定キーとマルチ画面操作の内容との対応を示す情報である。
【００４８】
操作ガイド表示領域は、αブレンディングによって表示されてもよく、また、重畳されて最前面となるように表示されてもよいが、図４（ｂ）〜（ｄ）で示すマルチ画面のように、映像に重畳される場合には、αブレンディングによって表示されるのが好ましい。
【００４９】
そして、操作ガイド表示領域は、図４（ａ）〜（ｄ）で示すマルチ画面を提示してから所定時間が経過すると、マルチ画面から消去される。なお、図４（ａ）で示す２つの映像提示領域のマルチ画面においては、このマルチ画面を提示してから所定時間が経過しても、操作ガイド表示領域が消去されずに表示された状態が継続されてもよい。このようにして、操作ガイド表示領域によって、マルチ画面で表示される映像の一部が表示されなくなることを回避することができる。
【００５０】
なお、図４（ａ）〜（ｄ）のマルチ画面で、輪郭が強調表示されてフォーカスされている映像提示領域にレイアウトされて提示される映像は、マルチ画面が表示される前に表示器６１に視聴のために表示されていた特定のチャンネルの番組の映像であるメイン映像である。さらに、図４（ａ）〜（ｄ）で、メイン映像が提示される映像提示領域ではない他の映像提示領域にレイアウトされて提示される映像は、メイン映像に係るチャンネルを除いた他のチャンネルの番組の映像であるサブ映像である。このサブ映像は、メイン映像と同一の放送波のチャンネルの番組の映像であること（例えば、メイン映像が地上デジタル放送波であれば、サブ映像も地上デジタル放送波であること）が好ましい。
【００５１】
例えば、メイン映像が地上デジタル放送波の特定のチャンネルの番組の映像であった場合には、サブ映像は地上デジタル放送波の他のチャンネルの番組の映像となる。他の例では、メイン映像が衛星デジタル放送波の特定のチャンネルの番組の映像であった場合、サブ映像には衛星デジタル放送波の他のチャンネルの番組の映像が含まれる。しかし、備えられたチューナの数によっては、サブ映像は他の放送波（例えば地上デジタル放送波）の映像や外部機器ＩＦ部３１から取得された映像となることもある。また、本実施形態では、地上デジタル放送波用チューナが８個備えられているので、メイン映像の放送波に係らず、サブ映像が全て地上デジタル放送波となる実施形態であってもよい。
【００５２】
ところで、図４（ａ）〜（ｄ）に示したマルチ画面のメイン映像としては、リモコンＲＣなどの特定のキーの押下などによって、マルチ画面の映像提示領域の数が変更されても、同じチャンネルの番組の映像が提示される。すなわち、マルチ画面の映像提示領域の数が変更された場合、図４（ａ）〜（ｄ）に示したそれぞれのマルチ画面のサブ映像の数が異なって提示されることになる。
【００５３】
次に、図５を用いて、図４に示したそれぞれのマルチ画面におけるメイン映像およびサブ映像のレイアウトの具体例を説明する。
図５は、図４に示したそれぞれのマルチ画面におけるメイン映像およびサブ映像のレイアウトの具体例を説明するための概念図である。
図５（ａ）に示す概念図は、図４（ａ）に示した２つの映像提示領域のマルチ画面におけるメイン映像およびサブ映像のレイアウトの具体例を示している。また、図５（ｂ）に示す概念図は、図４（ｂ）に示した４つの映像提示領域のマルチ画面におけるメイン映像およびサブ映像のレイアウトの具体例を示している。そして同様に、図５（ｃ）に示す概念図は、図４（ｃ）に示した６つの映像提示領域のマルチ画面におけるメイン映像およびサブ映像のレイアウトの具体例、図５（ｄ）に示す概念図は、図４（ｄ）に示した８つの映像提示領域のマルチ画面におけるメイン映像およびサブ映像のレイアウトの具体例をそれぞれ示している。
【００５４】
図５（ａ）〜（ｄ）に示したそれぞれの概念図のように、メイン映像は、図５（ａ）〜（ｄ）それぞれのマルチ画面ごとに所定の映像提示領域に提示される。具体的には、メイン映像は、２つの映像提示領域のマルチ画面においては画面に向かって左の映像提示領域に提示され、４，６，８つの映像提示領域のマルチ画面においては、画面に向かって略左の、他の映像提示領域よりも広い面積の映像提示領域に提示される。
【００５５】
すなわち、４，６，８つの映像提示領域のマルチ画面においては、特に、メイン映像を提示する映像提示領域がサブ映像を提示する映像提示領域よりも大きいので、メイン映像を識別しやすい構成となっている。
【００５６】
そして、図５（ａ）〜（ｄ）それぞれのマルチ画面における、メイン映像およびサブ映像を提示するための大小さまざまな大きさの映像提示領域は、表示器６１で特定の１つの番組を表示する際の画面上の縦横のアスペクト比と同じ、１６：９となる縦横の比率のままで縮小された大きさとなっている。
【００５７】
また、図５（ｃ）に示す６つの映像提示領域のマルチ画面においては、メイン映像を提示する映像提示領域の輪郭の縦方向である右、および横方向である下に、それぞれ２つのサブ映像を提示する映像提示領域が隣接してレイアウトされる。さらに、メイン映像を提示する映像提示領域の右下を基準とする対角にも、１つのサブ映像がレイアウトされる。また、図５（ｄ）に示す８つの映像提示領域のマルチ画面においては、メイン映像を提示する映像提示領域の輪郭の縦方向である右、および横方向である下に、それぞれ３つのサブ映像を提示する映像提示領域が隣接してレイアウトされる。さらに、メイン映像を提示する映像提示領域の右下を基準とする対角にも、１つのサブ映像がレイアウトされる。
【００５８】
従って、このように、メイン映像およびサブ映像を提示する映像提示領域を、それぞれのアスペクト比（１６：９）のまま縮小したまま、メイン映像とサブ映像との大きさを変えることにより、映像表示領域全体を有効に無駄なく利用して、サブ映像の大きさをできるだけ大きく表示したマルチ画面を提供することができる。
【００５９】
また、図５（ａ）〜（ｄ）に示したそれぞれの概念図のように、サブ映像は、所定の条件に基づいて設定されたチャンネルに対する順位に従って、所定の映像提示領域に所定数ずつレイアウトされて提示される。なお、サブ映像のレイアウトの順位は、図５（ａ）〜（ｄ）に示したそれぞれの具体例に限定されるものでなく、逆の順番や、任意に決定された順番でレイアウトされてもよい。
【００６０】
ここで、チャンネルに対する順位は、テレビジョン受像機１０の利用者によりメニュー画面（不図示）などにより任意に設定された順位や、現在よりも所定期間以前のチャンネルごとの累計視聴時間を計測する機能ブロック（不図示）により計測された累計視聴時間に基づいて設定された順位、または、現在から遡って表示器６１に出力した映像に係るチャンネルの履歴を記憶する機能ブロック（不図示）により記憶された履歴に基づいて設定された順位などを適用することができる。
【００６１】
なお、図５（ｄ）に示した８つの映像提示領域のマルチ画面で提示された８つの映像（１つのメイン映像と７つのサブ映像）のうちの、所定の映像提示領域に提示される７つのサブ映像の上位５つが、図５（ｃ）に示した６つの映像提示領域のマルチ画面で提示された６つの映像のうちの、サブ映像を提示する５つの映像提示領域に提示される。
【００６２】
また同様に、図５（ｃ）に示した６つの映像提示領域のマルチ画面で提示された６つの映像（１つのメイン映像と５つのサブ映像）のうちの、所定の映像提示領域に提示される５つのサブ映像の上位３つが、図５（ｂ）に示した４つの映像提示領域のマルチ画面で提示された４つの映像のうちの、サブ映像を提示する３つの映像提示領域に提示される。
【００６３】
さらに、図５（ｂ）に示した４つの映像提示領域のマルチ画面で提示された４つの映像（１つのメイン映像と３つのサブ映像）のうちの、所定の映像提示領域に提示される３つのサブ映像の上位１つが、図５（ａ）に示した２つの映像提示領域のマルチ画面で提示された２つの映像のうちの、サブ映像を提示する１つの映像提示領域に提示される。
【００６４】
また、マルチ画面の映像提示領域の数が変更された場合、サブ映像の中でフォーカスされた映像が、数が変更されたマルチ画面においても提示されるようにしてもよい。
【００６５】
なお、マルチ画面における映像提示領域のレイアウトや映像提示領域の数は、図５（ａ）〜（ｄ）それぞれの概念図に示したマルチ画面に限定されるものではない。例えば、２つの映像提示領域のマルチ画面で、メイン映像を提示する映像提示領域がサブ映像を提示する映像提示領域よりも広い面積であってもよく、また、２，４，６，８つの映像提示領域のマルチ画面それぞれで、メイン映像が画面に向かって右側の映像提示領域に提示されてもよい。
【００６６】
すなわち、２，４，６，８つの映像提示領域のマルチ画面それぞれが切り替わった場合、図５（ａ）〜（ｄ）に示したそれぞれの概念図のように、メイン映像はぞれぞれのマルチ画面の所定の映像提示領域に提示され、サブ映像は、所定条件に基づいて設定されたチャンネルに対する順位に従って、所定の映像提示領域に所定数ずつ提示される。
【００６７】
次に、図６を用いて、マルチ画面を操作する複数の処理を説明する。図６は、マルチ画面を操作する複数の処理を説明するためのフローチャートである。
マルチ画面を操作する複数の処理は、テレビジョン受像機１０の利用者が、マルチ画面が表示されている状態で、リモコンＲＣなどに設けられた情報キー２０３や、説明キー２０４、方向キー２１３、決定キー２１４などを押下することで実行される。
【００６８】
まず、マルチ画面が表示されている状態では、リモコンＲＣなどに設けられた何れかの操作キーが押下されたか、が判断される（Ｓ６０１）。そして、押下された操作キーが情報キー２０３であった場合（Ｓ６０１のＹｅｓ（情報キー））は、マルチ画面に提示された番組に関する番組関連情報の出力／消去が交互に切り替わる（Ｓ６０２）。すなわち、番組関連情報が出力されている状態であれば当該番組関連情報が消去され、その逆であれば当該番組関連情報が出力される。
【００６９】
また、押下された操作キーが説明キー２０４であった場合（Ｓ６０１のＹｅｓ（説明キー））は、フォーカスされた映像提示領域の映像に係る番組の内容を説明する情報である番組説明情報の出力／消去が交互に切り替わる（Ｓ６０３）。すなわち、番組説明情報が出力されている状態であれば当該番組説明情報が消去され、その逆であれば当該番組説明情報が出力される。
【００７０】
なお、押下された操作キーが、方向キー２１３であった場合（Ｓ６０１のＹｅｓ（方向キー））は、押下された方向キー２１３の方向に応じて、表示されたマルチ画面の中のフォーカスが移動する（Ｓ６０４）。
【００７１】
そして、押下された操作キーが決定キー２１４であった場合（Ｓ６０１のＹｅｓ（決定キー））は、フォーカスされた映像提示領域に提示されている映像とメイン映像とが入れ替わる（Ｓ６０５）。すなわち、フォーカスされた映像提示領域がサブ映像を提示する映像提示領域であった場合は、このフォーカスされたサブ映像が、メイン映像を提示する映像提示領域にメイン映像として提示される。また逆に、メイン映像を提示する映像提示領域に提示されていたメイン映像が、フォーカスされたサブ映像を提示する映像提示領域にサブ映像として提示される。なお、フォーカスされた映像提示領域がメイン映像を提示する映像提示領域であった場合は、映像は入れ替わらない。
【００７２】
なお、何れの操作キーも押下されない、と判断された場合（Ｓ６０１のＮｏ）は、上述した複数の処理は実行されない。そして、リモコンＲＣなどに設けられたマルチキー２０２、戻るキー２１５、または、終了キー２１６などが押下されると、マルチ画面を表示する処理が終了し、マルチ画面が表示器６１から消去される。そして、表示されていたマルチ画面でフォーカスされていた映像提示領域の映像に係る番組の映像が、画面全体に表示される。
【００７３】
すなわち、マルチ画面が表示されている状態で、リモコンＲＣなどに設けられたマルチキー２０２、戻るキー２１５、または、終了キー２１６などが押下されてマルチ画面を表示する処理の終了が要求されない場合は、リモコンＲＣなどに設けられた複数のキーの押下を判断してマルチ画面を操作する複数の処理が継続して実行される。
【００７４】
次に、図７を用いて、図４に示したそれぞれのマルチ画面におけるフォーカス移動の具体例を説明する。
図７は、図４に示したそれぞれのマルチ画面におけるフォーカス移動の具体例を説明するための図である。
上述した図６に示したフローチャートのように、マルチ画面におけるフォーカス移動は、リモコンＲＣなどに設けられた方向キー２１３の押下によって制御されるので、フォーカスは上下左右の４方向に移動する。
【００７５】
具体的には、図７（ａ）に示した２つの映像提示領域のマルチ画面では、メイン映像が提示される映像提示領域がフォーカスされている状態で、方向キー２１３の右方向キーが押下されると、サブ映像１が提示される映像提示領域にフォーカスが移動する。逆に、サブ映像１が提示される映像提示領域がフォーカスされている状態で、方向キー２１３の左方向キーが押下されると、メイン映像が提示される映像提示領域にフォーカスが移動する。
【００７６】
なお、メイン映像が提示される映像提示領域がフォーカスされている状態で、方向キー２１３の上方向キー、下方向キー、または、左方向キーが押下されてもフォーカスは移動しない。また、サブ映像１が提示される映像提示領域がフォーカスされている状態で、方向キー２１３の上方向キー、下方向キー、または、右方向キーが押下されてもフォーカスは移動しない。
【００７７】
また、図７（ｂ）に示した４つの映像提示領域のマルチ画面では、メイン映像が提示される映像提示領域がフォーカスされている状態で、方向キー２１３の右方向キーが押下されると、サブ映像１が提示される映像提示領域にフォーカスが移動する。なお、メイン映像が提示される映像提示領域がフォーカスされている状態で、方向キー２１３の上方向キー、下方向キー、または、左方向キーが押下されてもフォーカスは移動しない。
【００７８】
また、サブ映像１が提示される映像提示領域がフォーカスされている状態で、方向キー２１３の左方向キーが押下されると、メイン映像が提示される映像提示領域にフォーカスが移動する。さらに、サブ映像１が提示される映像提示領域がフォーカスされている状態で、方向キー２１３の下方向キーが押下されると、サブ映像２が提示される映像提示領域にフォーカスが移動する。なお、サブ映像１が提示される映像提示領域がフォーカスされている状態で、方向キー２１３の上方向キーまたは右方向キーが押下されてもフォーカスは移動しない。
【００７９】
そして、サブ映像２が提示される映像提示領域がフォーカスされている状態で、方向キー２１３の上方向キーが押下されると、サブ映像１が提示される映像提示領域にフォーカスが移動し、逆に、方向キー２１３の下方向キーが押下されると、サブ映像３が提示される映像提示領域にフォーカスが移動する。また、サブ映像２が提示される映像提示領域がフォーカスされている状態で、方向キー２１３の左方向キーが押下されると、メイン映像が提示される映像提示領域にフォーカスが移動する。しかし、メイン映像が提示される映像提示領域がフォーカスされている状態で、方向キー２１３の右方向キーを押下しても、サブ映像２が提示される映像提示領域へはフォーカスは移動せず、上述したように、サブ映像１が提示される映像提示領域にフォーカスが移動する。また、サブ映像２が提示される映像提示領域がフォーカスされている状態で、方向キー２１３の右方向キーが押下されてもフォーカスは移動しない。
【００８０】
さらに、サブ映像３が提示される映像提示領域がフォーカスされている状態で、方向キー２１３の左方向キーが押下されると、メイン映像が提示される映像提示領域にフォーカスが移動する。しかし、メイン映像が提示される映像提示領域がフォーカスされている状態で、方向キー２１３の右方向キーを押下しても、サブ映像３が提示される映像提示領域へはフォーカスは移動せず、上述したように、サブ映像１が提示される映像提示領域にフォーカスが移動する。また、サブ映像３が提示される映像提示領域がフォーカスされている状態で、方向キー２１３の上方向キーが押下されると、サブ映像２が提示される映像提示領域にフォーカスが移動する。なお、サブ映像３が提示される映像提示領域がフォーカスされている状態で、方向キー２１３の下方向キーまたは右方向キーが押下されてもフォーカスは移動しない。
【００８１】
また、図７（ｃ）に示した６つの映像提示領域のマルチ画面、および、図７（ｄ）に示した８つの映像提示領域のマルチ画面では、それぞれの図に示したように矢印が記述されている方向へは、方向キー２１３の特定の方向キーの押下に応じてフォーカスが移動し、矢印が記述されていない方向へはフォーカスは移動しない。
【００８２】
なお、メイン映像が提示される映像提示領域がフォーカスされている状態で、方向キー２１３の右方向キーまたは下方向キーが押下された場合に、フォーカスが移動する映像提示領域は、本実施形態に限定されるものではない。例えば、図７（ｂ）に示した４つの映像提示領域のマルチ画面においては、メイン映像が提示される映像提示領域がフォーカスされている状態で、方向キー２１３の右方向キーが押下されると、サブ映像２またはサブ映像３が提示される映像提示領域にフォーカスが移動する実施形態であってもよい。
【００８３】
すなわち、マルチ画面におけるフォーカス移動は、フォーカスされている映像提示領域ごとに、方向キー２１３の特定の方向キーに応じて移動できる方向と移動できない方向とが定義されている。
【００８４】
またさらに、図７（ａ）〜（ｄ）に示したそれぞれのマルチ画面は、特定の映像提示領域がそれぞれフォーカスされている状態である。そして、上述した図６に示したフローチャートのように、リモコンＲＣなどに設けられた決定キー２１４の押下により、フォーカスされた映像提示領域に提示されている映像は、メイン映像と入れ替えられる。
【００８５】
具体的には、図７（ｂ）に示したマルチ画面のように、サブ映像１が提示される映像提示領域がフォーカスされている状態で決定キー２１４が押下されると、フォーカスされていた映像提示領域にサブ映像１として提示されていた映像が、メイン映像を提示する映像提示領域に提示される。さらに、メイン映像としてメイン映像を提示する映像提示領域に提示されていた映像が、サブ映像としてサブ映像を提示する映像提示領域に提示される。メイン映像として提示されていた映像が、サブ映像として提示されるときには、この映像は、フォーカスされていたサブ映像１を提示する映像提示領域に提示される。また、メイン映像として提示されていた映像が、サブ映像として提示されるときに、この映像とこのとき提示されている複数のサブ映像とが、前述したような、所定の条件に基づいて設定されたチャンネルに対する順位に従って、レイアウトし直されても良い。
【００８６】
なお、例えば、図７（ａ）に示したマルチ画面のように、メイン映像が提示される映像提示領域がフォーカスされている状態で決定キー２１４が押下されても、メイン映像は入れ替わらない。
【００８７】
すなわち、フォーカスされた、サブ映像を提示する映像提示領域に提示されていたサブ映像を、メイン映像として提示することが可能となる。
またさらに、フォーカスの移動に伴って、フォーカスされた映像提示領域に提示されている映像に伴う音声が、スピーカ６２から出力される。
具体的には、図７（ｂ）に示したマルチ画面のように、サブ映像１が提示される映像提示領域がフォーカスされている状態では、サブ映像１に伴う音声がスピーカ６２から出力される。
【００８８】
なお、本実施形態では、フォーカスされた映像提示領域に提示されている映像に伴う音声が、スピーカ６２から出力されるが、フォーカスされた映像とは関係なくメイン映像に伴う音声がスピーカ６２から出力される実施形態や、メイン映像に伴う音声が右音声用または左音声用のスピーカ６２から出力され、フォーカスされた映像提示領域に提示されている映像に伴う音声が他方のスピーカ６２から同時に出力される実施形態であってもよい。
【００８９】
次に、図８を用いて、図４に示したそれぞれのマルチ画面において、番組関連情報が出力された場合の具体例を説明する。
図８は、図４に示したそれぞれのマルチ画面において、番組関連情報が出力された場合の具体例を説明するための図である。
上述したように、番組関連情報とは、マルチ画面に提示された映像に係る番組に関するチャンネル番号や、放送波、放送局名、番組名などの情報であり、バナー情報とも呼ばれている。
【００９０】
具体的には、図８（ａ）に示した２つの映像提示領域のマルチ画面では、メイン映像が提示される映像提示領域の下方の斜線で示す領域にメイン映像に係る番組に関する番組関連情報が提示される。なお、サブ映像１が提示される映像提示領域の下方の斜線で示す領域にサブ映像１に係る番組に関する番組関連情報が提示される。
【００９１】
また、図８（ｂ）に示した４つの映像提示領域のマルチ画面では、メイン映像が提示される映像提示領域に重畳した斜線で示す領域にメイン映像に係る番組に関する番組関連情報が提示される。そして、サブ映像１が提示される映像提示領域に重畳した斜線で示す領域にサブ映像１に係る番組に関する番組関連情報が提示される。なお、サブ映像２およびサブ映像３に係る番組に関する番組関連情報も、サブ映像１に係る番組に関する番組関連情報と同様に提示される。
【００９２】
さらに、図８（ｃ）に示した６つの映像提示領域のマルチ画面、および、図８（ｄ）に示した８つの映像提示領域のマルチ画でも、図８（ｂ）に示した４つの映像提示領域のマルチ画面と同様に、それぞれの映像に係る番組に関する番組関連情報が提示される。
【００９３】
番組関連情報は、図８（ａ）〜（ｄ）で示すマルチ画面を提示してから所定時間が経過するとマルチ画面から消去されるものであるが、消去の要求に応じて消去されるまで提示されていてもよい。なお、本実施形態では、マルチ画面に提示されたメイン映像、およびサブ映像全ての映像に係る番組に関する番組関連情報が提示されるが、フォーカスされた映像提示領域に提示された映像、またはメイン映像に係る番組に関する番組関連情報のみが提示されても構わない。全ての映像に係る番組関連情報を提示するか、フォーカスされた映像またはメイン映像に係る番組関連情報のみを提示するかの切換は、リモコンＲＣの所定のキーによる操作で行われる。
【００９４】
次に、図９を用いて、図４に示したそれぞれのマルチ画面において、番組説明情報が出力された場合の具体例を説明する。
図９は、図４に示したそれぞれのマルチ画面において、番組説明情報が出力された場合の具体例を説明するための図である。
上述したように、番組説明情報とは、マルチ画面に提示されている複数の映像の中でフォーカスされた映像提示領域の映像に係る番組の内容を詳細に説明する情報である。この番組説明情報には、現在放送されている番組の、概要、出演者、放送時間、ジャンルなどの情報が含まれ、番組関連情報の一部であるともいえる。
【００９５】
具体的には、図９（ａ）に示した２つの映像提示領域のマルチ画面では、メイン映像が提示される映像提示領域がフォーカスされた状態であり、メイン映像が提示される映像提示領域の近傍の網掛けで示す領域にメイン映像に係る番組に関する番組説明情報が提示される。
【００９６】
また、図９（ｂ）に示した４つの映像提示領域のマルチ画面では、サブ映像１が提示される映像提示領域がフォーカスされた状態であり、サブ映像１が提示される映像提示領域の近傍の網掛けで示す領域にサブ映像１に係る番組に関する番組説明情報が提示される。
【００９７】
さらに、図９（ｃ）に示した６つの映像提示領域のマルチ画面、および、図９（ｄ）に示した８つの映像提示領域のマルチ画面、図９（ａ）に示した２つの映像提示領域のマルチ画面および図９（ｂ）に示した４つの映像提示領域のマルチ画面と同様に、それぞれのマルチ画面でフォーカスされた映像提示領域に提示される映像に係る番組に関する番組関連情報が、フォーカスされた映像提示領域それぞれの近傍に提示される。
【００９８】
番組説明情報は、図９（ａ）〜（ｄ）で示すマルチ画面を提示してから所定時間が経過するとマルチ画面から消去されるものであるが、消去の要求に応じて消去されるまで提示されていてもよい。なお、本実施形態では、マルチ画面でフォーカスされた映像提示領域に提示された映像に係る番組に関する番組説明情報のみが提示されるが、マルチ画面に提示されたメイン映像およびサブ映像全ての映像、またはメイン映像に係る番組に関する番組説明情報が提示される実施形態であってもよい。フォーカスされた映像に係る番組説明情報のみを提示するか、全ての映像またはメイン映像に係る番組説明情報を提示するかの切換は、リモコンＲＣの所定のキーによる操作で行われる。
【００９９】
以上説明したように本実施形態によれば、映像を提示する領域の数が異なる複数のマルチ画面を、リモコンＲＣなどに設けられた操作キーによって容易に切り替えることが可能であり、また、それぞれのマルチ画面において様々な操作が可能であるので、映像出力装置の利用者にとって利便性且つ操作性よく、複数の番組の映像を出力することができる。
【０１００】
また本発明は、上述した実施形態に限定されるものではなく、本発明の要旨を変えない範囲において、種々の変更、改変等が可能である。
【符号の説明】
【０１０１】
１０…テレビジョン受像機、２０−１〜２０−ｎ…放送波処理部、３１…外部機器ＩＦ部、３２…ネットワークＩＦ部、４０…信号処理制御部、５１…操作部、５２…受光部、６１…表示器、６２…スピーカ、ＲＣ…リモコン、２０１…メニューキー、２０２…マルチキー、２０３…情報キー、２０４…説明キー、２０５…選局キー、２０６…青キー、２０７…赤キー、２０８…緑キー、２０９…黄キー、２１０…地上波キー、２１１…ＢＳキー、２１２…ＣＳキー、２１３…方向キー、２１４…決定キー、２１５…戻るキー、２１６…終了キー、２１７…チャンネルアップダウンキー。
【図１】
2011061280.tif 000003
【図２】
2011061280.tif 000004
【図３】
2011061280.tif 000005
【図４】
2011061280.tif 000006
【図５】
2011061280.tif 000007
【図６】
2011061280.tif 000008
【図７】
2011061280.tif 000009
【図８】
2011061280.tif 000010
【図９】
2011061280.tif 000011
【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
異なる複数の映像の信号を取得する取得手段と、
前記取得手段が取得した前記複数の映像を、所定数で表示画面を分割してできた複数の映像提示領域にレイアウトして同一画面に提示した複数映像提示画面を出力する映像出力手段と、
前記映像出力手段が前記複数映像提示画面を出力している状態で、前記表示画面の分割数が指示されると、該指示された分割数で前記表示画面を分割してできた新たな複数映像提示画面を、前記映像出力手段が出力するように制御する制御手段とを具備し、
前記制御手段は、
次回前記複数映像提示画面を出力する際、前回出力した複数映像提示画面と同じ映像提示領域の数で前記表示画面を分割した複数映像提示画面を、前記映像出力手段が出力するように制御することを特徴とする映像出力装置。
【請求項２】
前記複数映像提示画面の前記レイアウトに係る前記映像提示領域の数は２乃至８であることを特徴とする請求項１記載の映像出力装置。
【請求項３】
前記複数映像提示画面が出力される前に出力されていた特定のチャンネルの番組の映像であるメイン映像と、前記メイン映像に係るチャンネルを除いた他のチャンネルの番組の映像であるサブ映像とが、所定の条件に基づいて前記複数映像提示画面の特定の前記映像提示領域にレイアウトされることを特徴とする請求項２記載の映像出力装置。
【請求項４】
前記所定の条件は、前記サブ映像に係るチャンネルに対する、利用者により任意に設定された順位、現在よりも所定期間以前の前記チャンネルごとの累計視聴時間に基づいて設定された順位、または、現在から遡って出力した映像に係る前記チャンネルの履歴に基づいて設定された順位であることを特徴とする請求項３記載の映像出力装置。
【請求項５】
前記サブ映像に係るチャンネルは、前記メイン映像に係るチャンネルと同種の放送波に属することを特徴とする請求項３記載の映像出力装置。
【請求項６】
前記映像出力手段は、前記メイン映像および前記サブ映像の中から特定の前記映像を選択することを利用者に許可し、特定の前記サブ映像が選択された場合、前記サブ映像は、前記メイン映像と入れ替えられてレイアウトされることを特徴とする請求項３記載の映像出力装置。
【請求項７】
前記映像出力手段は、前記メイン映像および前記サブ映像の中から特定の前記映像を選択することを利用者に許可し、特定の前記サブ映像が選択された場合、前記メイン映像および／または前記サブ映像に関する音声が出力されることを特徴とする請求項３記載の映像出力装置。
【請求項８】
前記映像出力手段は、前記メイン映像および前記サブ映像の中から特定の前記映像を選択することを利用者に許可し、特定の操作入力に応じて、選択された映像および／または出力されている映像に係る番組に関する番組関連情報を出力することを特徴とする請求項３記載の映像出力装置。
【請求項９】
異なる複数の映像の信号を取得し、
取得した前記複数の映像を、所定数で表示画面を分割してできた複数の映像提示領域にレイアウトして同一画面に提示した複数映像提示画面を出力し、
前記複数映像提示画面を出力している状態で、前記表示画面の分割数が指示されると、該指示された分割数で前記表示画面を分割してできた新たな複数映像提示画面を出力するとともに、次回前記複数映像提示画面を出力する際、前回出力した複数映像提示画面と同じ映像提示領域の数で前記表示画面を分割した複数映像提示画面を出力するように制御することを特徴とする映像出力方法。